(57)【要約】      （修正有）【課題】構成が簡単であって、球詰まり、或いは破損を起こすおそれが少ない遊技球振り分け装置を提供する。【解決手段】球流入口２の下に左右両側に分岐する球通路３ａ，３ｂが形成されたケース部材と、該球通路の分岐部３の真下に上面１２の中央が相対するように該ケース部材内に振り子状に左右に傾動自在なるように軸支された揺動部材１０とからなり、該揺動部材内に重錘球１５が該山を乗り越えて左右に移動可能なるように収容され、該重錘球の存在位置に従って該揺動部材は左右いずれかの傾動姿勢に維持され、該揺動部材の上面に落下した遊技球Ｐがその傾動姿勢に従って左右の球通路３ａ，３ｂのいずれかに導かれるようにし、該壁面に遊技球が衝突したときの衝撃により重錘球１５が移動することで前記球流入口から流入した遊技球が左右に振り分けられるようにした。【選択図】図２
2008086382.tif 000002
【特許請求の範囲】
【請求項１】
球流入口の下に左右両側に分岐する球通路が形成されたケース部材と、該球通路の分岐部の真下に上面の中央が相対するように該ケース部材内に振り子状に左右に傾動自在なるように軸支された揺動部材とからなり、該揺動部材は左右両側に壁面を有し底面が左右対称形の低い山形に形成されていて該揺動部材内に重錘球が該山を乗り越えて左右に移動可能なるように収容され、該重錘球の存在位置に従って該揺動部材は左右いずれかの傾動姿勢に維持され、該揺動部材の上面に落下した遊技球がその傾動姿勢に従って左右の球通路のいずれかに導かれるようにすると共に、左右の該球通路には遊技球を揺動部材の前記壁面に衝突させる誘導部が形成され、該壁面に遊技球が衝突したときの衝撃により重錘球が移動することで前記球流入口から流入した遊技球が左右に振り分けられるようにしたことを特徴とする遊技球振り分け装置。
【請求項２】
球流入口に段部を形成し、該段部を経て遊技球が傾動体の上面に落下するようにした請求項１に記載の遊技球振り分け装置。
【請求項３】
請求項１または２に記載の遊技球振り分け装置における左右の球通路の球流出口にこれと同じ遊技球振り分け装置の球流入口を連接することにより、遊技球がさらに多くの球通路に振り分けられるようにしたことを特徴とする遊技球振り分け装置。
【発明の詳細な説明】
【技術分野】
【０００１】
この発明は、パチンコ機、アレンジボール機、雀球機等のパチンコ球を遊技媒体として用いる遊技機に設けられ、遊技球を振り分ける遊技球振り分け装置に関するものである。
【背景技術】
【０００２】
下記特許文献１，２等に記載されたように、遊技球振り分け装置は、球流入口に流入してきた遊技球を２つの球通路に交互に振り分けることにより、遊技球の動きに変化を持たせ、入賞率をコントロールしたりするものである。
【特許文献１】特許第３５７４０８９号公報
【特許文献２】実開昭５９−１４３４８４号公報
【０００３】
即ち、特許文献１に示された振り分け装置は、第一の球受け部と第二の球受け部とを備えた回動部に２つの永久磁石を設け、球重量により該回動部を回転させると共に、前面のカバーに該磁石と相対する永久磁石を設け、その吸引磁力により該回動部の姿勢が維持されるように構成したものであった。
また、特許文献２に示された振り分け装置は、セーフ球流入口の直下に逆Ｔ字形の振り分け片を回転自在に設け、セーフ球の重量により該振り分け片を回転させ、セーフ球が左右両側の球受口に交互に振り分けられるようにしたものであった。
【発明の開示】
【発明が解決しようとする課題】
【０００４】
ところで、特許文献１または特許文献２に示された振り分け装置では、回転体の回転途中に次の球が流入してくると球詰まりを起こしやすい欠点があるほか、球の衝撃が常にその振り分け片の先端部に加わるので破損しやすい欠点、および、特許文献１に示された振り分け装置では構成部品として複数の永久磁石を要するので所要部品点数が多く組み立てにも手間が掛かるので製造コストが高くなるという問題があった。
【課題を解決するための手段】
【０００５】
この発明は、上記課題を解決しようとするもので、請求項１に記載した遊技球振り分け装置の発明は、球流入口の下に左右両側に分岐する球通路が形成されたケース部材と、該球通路の分岐部の真下に上面の中央が相対するように該ケース部材内に振り子状に左右に傾動自在なるように軸支された揺動部材とからなり、該揺動部材は左右両側に壁面を有し底面が左右対称形の低い山形に形成されていて該揺動部材内に重錘球が該山を乗り越えて左右に移動可能なるように収容され、該重錘球の存在位置に従って該揺動部材は左右いずれかの傾動姿勢に維持され、該揺動部材の上面に落下した遊技球がその傾動姿勢に従って左右の球通路のいずれかに導かれるようにすると共に、左右の該球通路には遊技球を揺動部材の前記壁面に衝突させる誘導部が形成され、該壁面に遊技球が衝突したときの衝撃により重錘球が移動することで前記球流入口から流入した遊技球が左右に振り分けられるようにしたことを特徴とする。
また請求項２に記載した発明は、上記遊技球振り分け装置において、球流入口に段部を形成し、該段部を経て遊技球が傾動体の上面に落下するようにしたことを特徴とする。
また請求項３に記載した発明は、上記遊技球振り分け装置における左右の球通路の球流出口にこれと同じ遊技球振り分け装置の球流入口を連接することにより、遊技球がさらに多くの球通路に振り分けられるようにしたことを特徴とする。
【発明の効果】
【０００６】
この発明の遊技球振り分け装置では、構成が簡単であって、球詰まり、或いは破損を起こすおそれが少ない。
【発明を実施するための最良の形態】
【０００７】
次にこの発明の実施形態を説明する。図１はこの遊技球振り分け装置の斜視図、図２はその縦断面図である。１は透明なプラスチックにより成形されたケース部材で、該ケース部材の上部中央に球流入口２が形成され、該球流入口の下に分岐部３にて左右両側に分岐する球通路３ａ，３ｂが左右対称形に形成されている。４は球流入口２に形成された段部で、該段部を形成することにより該球流入口２は図３に示したように側面クランク状に形成され、球流入口２より該ケース部材内に流入した遊技球はいったんは該段部に衝突してからさらに下に落ちるようになる。なお、球通路３ａ，３ｂの内壁面には後述するように誘導部６ａ，６ｂが形成されている。そして該球通路３ａ，３ｂの至端は夫々球流出口５ａ，５ｂに連なる。
【０００８】
１０は左右対称形の箱枠状の揺動部材で、該揺動部材の平坦な上面１２の中央が前記分岐部３の真下に相対するようにケース部材１内中央に支軸１１によって振り子状に左右に傾動自在なるように軸支される。該揺動部材１０は左右両側に壁面１３ａ，１３ｂを有し、また底面１４が左右対称形の低い山形に形成されている。そして該揺動部材１０内に重錘球１５が該山を乗り越えて左右に移動可能なるように収容される。なお、該揺動部材１０の下部両側に垂下片１６ａ，１６ｂが形成され、ケース部材１の底部中央に形成された開口７より該垂下片を垂下させ、該開口７の両側縁７ａ，７ｂに該垂下片が当たることで該垂下片１６ａ，１６ｂがストッパとして機能し、その傾動角度α（水平面からの傾動角度）が遊技球が転がり得る５度程度の角度に規制されるようにしている。このため、該重錘球１５が図２に実線で示したように揺動部材１０の左壁面１３ａに寄りかかって存在位置しているときは該揺動部材１０はその重力によって左傾斜姿勢になり上面１２は左に傾斜した状態に維持される。また、重錘球１５が右壁面１３ｂに寄りかかって存在位置していると該揺動部材１０は図２に破断線で示したように右傾斜姿勢になり上面１２は右に傾斜した状態に維持される。
【０００９】
このためいま図４（ａ）に示したように揺動部材１０が左傾斜姿勢にあるときに球流入口２から遊技球Ｐが該上面１２上に落下して来ると、該遊技球はその傾斜に従い左方に転がって球通路３ａに流れ、該球通路３ａの内壁面に形成された円弧面状の誘導部６ａに沿ってカーブし、同図（ｂ）に示したように揺動部材１０の壁面１３ａに衝突してから球流出口５ａに流出する。その衝撃により重錘球１５は突き飛ばされ、該重錘球１５は底面１４の低い山を乗り越え、壁面１３ｂに寄りかかり停止位置するため該揺動部材１０は同図（ｃ）に示したように右傾斜姿勢に維持されるようになる。
【００１０】
次いで、図５（ｄ）に示したように揺動部材１０が右傾斜姿勢にあるときに球流入口２から遊技球Ｐが該上面１２上に落下して来ると、該遊技球はその傾斜に従い右方に転がって球通路３ｂに流れ、該球通路３ｂの内壁面に形成された円弧面状の誘導部６ｂに沿ってカーブし、同図（ｅ）に示したように揺動部材１０の壁面１３ｂに衝突してから球流出口５ｂに流出する。その衝撃により重錘球１５は突き飛ばされ、該重錘球１５は底面１４のまた低い山を乗り越え、壁面１３ａに寄りかかり停止位置する。このため該揺動部材１０は同図（ｆ）に示したように左傾斜姿勢に復帰しその姿勢が維持される。このため次にまた球流入口２から遊技球が流入して来ると、図４に示したようにその遊技球は球流出口５ｂから流出する。このようにこの振り分け装置では球流入口２に流入して来る遊技球を２つの球流出口５ａ，５ｂに交互に振り分けることができる。
【００１１】
なお、この実施形態では誘導部６ａ，６ｂを円弧面状に形成したが、これは遊技球に壁面１３ａ，１３ｂに衝突する一定の速度が保たれるようにするものであるので、円弧面状でなくても他の曲面状または直線状に形成してもよい。
このようにこの遊技球振り分け装置では、揺動部材１０の上面１２の傾斜方向に遊技球Ｐが転がって交互に振り分けられるので、この振り分け部分で球詰まりを起こすおそれが極めて少なく、また、遊技球から無用な力が加わるおそれもなく、遊技球が自由転動して常にスムースに振り分けられる。
【００１２】
また、球流入口２に段部４を設け、球流入口２より流落する遊技球がいったん該段部４に当たってから上面１２上に落下するようにすることにより、流入してくる遊技球の速度や球圧力が該段部によって減殺され、上面１２に無用な負荷が掛からないようにできるので、一層スムースな振り分け作動を期待することができる。
【００１３】
なお、この装置は、パチンコ機の遊技盤面に直接設けたり、入賞装置や役物の内部に設けることができるほか、アレンジボール機、雀球機等のパチンコ球を遊技媒体として用いる遊技機に適宜設けられ、その入賞経路を変化させたり、入賞率をコントロールするのに適宜使用される。
【００１４】
一方、図６は、上記のような６個の遊技球振り分け装置１００〜６００を３段のピラミッド状に配置し、その上段の振り分け装置１００の２つの球流出口に中段の振り分け装置２００および３００の球流入口を連接し、該振り分け装置２００の一方の球流出口に下段の振り分け装置４００の球流入口を連接し、振り分け装置２００の他方の球流出口と振り分け装置３００の一方の球流出口に下段の振り分け装置５００の球流入口を連接し、振り分け装置３００の他方の球流出口に下段の振り分け装置６００の球流入口を連接し、上段の振り分け装置１００の球流入口Ｙに流入させた遊技球が下段の振り分け装置４００〜６００の球流出口Ａ〜Ｄのいずれかから流出するようにしたもので、このように連接することにより遊技球を所定の順番で該各球流出口Ａ〜Ｄから流出させることができると共に、球流入口Ｙに流入した遊技球が球流出口Ａから流出する確率は１／８、球流出口Ｂから流出する確率は３／８、球流出口Ｃから流出する確率は３／８、球流出口Ｄから流出する確率は１／８になる。このように振り分け装置を多段に連接することにより遊技球をより細かく振り分けることができると共に、振り分けの順番および確率を所期のとおりに設定することができる。
【図面の簡単な説明】
【００１５】
【図１】この発明に係る遊技球振り分け装置の斜視図。
【図２】この発明に係る遊技球振り分け装置の縦断面図。
【図３】図２のＸ−Ｘ線断面図。
【図４】この発明に係る遊技球振り分け装置の作動状態図。
【図５】この発明に係る遊技球振り分け装置の作動状態図。
【図６】この発明に係る遊技球振り分け装置を複数連接したときの縦断面図。
【符号の説明】
【００１６】
１                ケース部材
２                球流入口
３                分岐部
３ａ，３ｂ        球通路
４                段部
５ａ，５ｂ        球流出口
６ａ，６ｂ        誘導部
１０              揺動部材
１１              支軸
１２              上面
１３ａ，１３ｂ    壁面
１４              底面
１５              重錘球
Ｐ                遊技球
【図１】
2008086382.tif 000003
【図２】
2008086382.tif 000004
【図３】
2008086382.tif 000005
【図４】
2008086382.tif 000006
【図５】
2008086382.tif 000007
【図６】
2008086382.tif 000008